(57)【要約】  【課題】  付属品を交換しなければならない時に、開梱することなく、付属品を収めた付属品箱の出し入れが出来る梱包装置を提供する。  【解決手段】  下部箱体１に下部緩衝体３Ａ、３Ｂを配置して被梱包体２を支持し、上部箱体４を被梱包体２の上部から下部箱体１に被せ、上部箱体４の外側から例えばバンドを捲回するようになっている梱包装置において、下部箱体１の下部一側のコーナー部に、付属品箱６の出し入れができる指掛け部１ａと係止孔１ｂとを備えた第一開閉蓋１ｃを形成するとともに、その後方内部に第一開閉蓋１ｃ側から挿入される付属品箱６の収納位置を保持する為の保持部１ｄとストッパー１ｅを形成する一方、上部箱体４に第一開閉蓋１ｃ側の係止孔１ｂに係止させる係止片４ｂを備えた第二開閉蓋４ｃを設けてなる構成とする。【選択図】図１
2007008483.tif 000002
【特許請求の範囲】
【請求項１】
被梱包体を収容する下部箱体と、同下部箱体に対向して前記被梱包体の上部から前記下部箱体に被せられる上部箱体とからなる梱包装置において、前記下部箱体の一側のコーナー部に前記被梱包体の付属品を収めた付属品箱の出し入れができる第一挿入部と、その後方内部に前記挿入部から挿入される前記付属品箱を保持する保持部とを形成し、前記上部箱体に第一挿入部に対向して第二挿入部を設けてなることを特徴とする梱包装置。
【請求項２】
前記第一挿入部に指掛け部と係止孔とを備えた第一開閉蓋を設ける一方、前記第二挿入部に前記係止孔に係止させる係止片を備えた第二開閉蓋を設けてなることを特徴とする請求項１記載の梱包装置。
【発明の詳細な説明】
【技術分野】
【０００１】
本発明は電気製品等の被梱包体とともに梱包される付属品の出し入れが容易に行える梱包装置に関する。
【背景技術】
【０００２】
被梱包体を梱包するための梱包装置は、例えば、図４に示すように、段ボール製の下部箱体１と、この下部箱体１内にあって被梱包体２を緩衝する下部緩衝体３ａ、３ｂと、底面が開放され、上面に両開きの蓋４ａを有し、被梱包体２の上部から下部箱体１に被せられる段ボール製の上部箱体４と、上部箱体４の蓋４ａを閉じる前に被梱包体２の上部に配置される上部緩衝体（図示省略）と、両開きの蓋４ａを張り付ける為の粘着テープ５と、上部箱体４と下部箱体１との接合に用いる複数のジョイント部材６とで構成され、上部箱体４と下部箱体１の双方にジョイント部材６を装着する為の開口部４ｂと１ａが設けられた形態で、被梱包体２の付属品は所定の付属品箱２０に収められ、梱包装置の内部に配置されるようになっている。
【０００３】
ところで、付属品として収納される電源コードや取扱説明書等は、国外ではその仕向け地によって異なるため、一旦包装された後に仕向け地の変更が生じたような場合、前記梱包装置では付属品の交換が容易に行えない欠点があった。そこで、このような欠点を解消できるものとして、図５に示すような梱包装置（梱包箱）が公開されている。これは被梱包体１１とその付属品１２とを一つにまとめて梱包する為の梱包箱１０であって、被梱包体１１とその付属品１２を収納する為の蓋１３の他に、付属品１２を出し入れする為の蓋１４を設けた構成（例えば、特許文献１参照）である。
【０００４】
【特許文献１】実開平７ー６１２３号公報（第１頁、図１）
【発明の開示】
【発明が解決しようとする課題】
【０００５】
しかしながら、梱包装置を構成する箱体が図４に示すような下部箱体１と上部箱体４とからなるものにおいては、ジョイント部材６を外して上部箱体４を持ち上げなければ付属品箱２０の出し入れができないため、製品が倉庫等で荷積みされている場合には付属品の交換に多大な手間と費用を要する等の問題があり、また、図５に示すような梱包装置においては、位置的にも図４に示すような付属品箱２０を収納するのは困難である。
したがって、本発明においては上記問題点に鑑み、付属品箱の出し入れが外部から簡単にできる梱包装置を提供することを目的としている。
【課題を解決するための手段】
【０００６】
本発明は上記の課題を解決するためになされたものであり、被梱包体を収容する下部箱体と、同下部箱体に対向して前記被梱包体の上部から前記下部箱体に被せられる上部箱体とからなる梱包装置において、前記下部箱体の一側のコーナー部に前記被梱包体の付属品を収めた付属品箱の出し入れができる第一挿入部と、その後方内部に前記挿入部から挿入される前記付属品箱を保持する保持部とを形成し、前記上部箱体に第一挿入部に対向して第二挿入部を設けてなる構成とする。
【０００７】
また、前記第一挿入部に指掛け部と係止孔とを備えた第一開閉蓋を設ける一方、前記第二挿入部に前記係止孔に係止させる係止片を備えた第二開閉蓋を設けてなる構成とする。
【発明の効果】
【０００８】
本発明の構成からなる梱包装置であれば、その上部箱体と下部箱体の一側に設けられた二つの開閉蓋を順に開けることにより付属品箱の出し入れができるので、倉庫等で荷積みされているような場合でも付属品の交換が容易に行えて便利であり、また、付属品箱の出し入れが終了した後に、外部から見やすい位置に例えば仕向け地、定格電圧等を表示したラベルを貼付けるようにすれば、収納された付属品の内容等が分かり安くて一層便利である。
【発明を実施するための最良の形態】
【０００９】
以下、本発明の実施の形態を、添付図面に基づいて説明する。
【実施例１】
【００１０】
図１は第１の実施の形態を示す梱包装置の構成斜視図で、該梱包装置は、段ボール製の下部箱体１と、この下部箱体１内の両側に配設されて被梱包体２を緩衝する下部緩衝体３Ａ、３Ｂと、底面が開放され、上面に両開きの蓋４ａ等を有し、被梱包体２の上部から下部箱体１に被せられる段ボール製の上部箱体４と、上部箱体４の蓋４ａを閉じる前に被梱包体２の上部に配置される上部緩衝体（図示省略）と、両開きの蓋４ａを張り付ける為の粘着テープ５と、付属品を入れる付属品箱６と、仕向け地や定格電圧等が記されたラベルおよび梱包後に上部箱体１の外側に捲回するバンド（両者共図示省略）とで構成されている。
【００１１】
下部箱体１にはその下部一側のコーナー部に、半円状にカットされた指掛け部１ａと縦長の方形状に開口された係止孔１ｂとを備え、付属品箱６の出し入れの際に開閉される第一開閉蓋１ｃが設けられ、その後方内部に、第一開閉蓋１ｃ側から挿入される付属品箱６の収納位置を保持するための保持部１ｄとストッパー１ｅとを設けた形態になっており、これらは下部箱体１の側面から底面にかけて所定の切り込みを設けて内側に折り込まれたものであり、保持部１ｄは付属品箱６を挟持できる大きさに、また、ストッパー１ｅは図２に示すように、付属品箱６の入り過ぎを防止するのに必要な最小限の大きさに形成されている。
【００１２】
また、下部箱体１内に配置される下部緩衝体３Ａ、３Ｂの側面には下部箱体１の内面に当接する複数の凸部３Ａａが存在するが、付属品箱６の収納に邪魔になる３Ａ側の凸部３Ａａは破線で示すようにその下部がカットされている。
【００１３】
また、下部箱体１に被さる上部箱体４には、下部箱体１側の係止孔１ｂに係止させる係止片４ｂを備えた第二開閉蓋４ｃが設けられている。なお、係止片４ｂは係止孔１ｂへの係止状態が良くなるように、その根元より先端部が多少広がった状態に形成されている。
【００１４】
本発明による梱包装置は以上説明したような構成になっているので、梱包終了後であっても、第二開閉蓋４ｃと第一開閉蓋１ｃの開放時にできる第二挿入部４ｆと第一挿入部１ｆを利用することにより、上部箱体４等を外すことなく下部箱体１への付属品箱６の出し入れができる。
なお、図示はされてないが、付属品箱６の出し入れが終了した後、扉４ｃ等の外部から見やすい位置に仕向け地や定格電圧等が記されたラベル７を貼付けることにより、収納された付属品の内容等も分かり、一層便利である。
【実施例２】
【００１５】
図３は第２の実施の形態を示したもので、下部緩衝体３Ｃが図示のように一つだけのものでは、その下部緩衝体３Ｃの一側下部に付属品箱６の大きさに対応した空隙部３Ｃａを形成することにより、第一開閉蓋１ｃ側より挿入される付属品箱６を所定の位置に保持することができる。したがって、このような下部緩衝体３Ｃを有する梱包装置においては、第１の実施例で説明したような保持部１ｄとストッパー１ｅは無くてもよい。
【００１６】
なお、梱包装置によっては図１で説明したような上部箱体４を使用せず、下部緩衝体、被包装体、上部緩衝体等の全てを一つの箱体に収めるようにしたものもあるが、このような箱体にも本発明は応用可能である。
【図面の簡単な説明】
【００１７】
【図１】本発明の第１の実施の形態を示す梱包装置の構成斜視図である。
【図２】本発明による梱包装置の要部拡大断面図である。
【図３】本発明の第２の実施の形態を示す梱包装置の要部構成斜視図である。
【図４】従来の梱包装置の第１の例を示す構成斜視図である。
【図５】従来の梱包装置の第２の例を示す外観斜視図である。
【符号の説明】
【００１８】
１  下部箱体
１ａ  指掛け部
１ｂ  係止孔
１ｃ  第一開閉蓋
１ｄ  保持部
１ｅ  ストッパー
１ｆ  第一挿入部
２  被梱包体
３Ａ、３Ｂ、３Ｃ  下部緩衝体
３Ｃａ  空隙部
４  上部箱体
４ａ  第二開閉蓋
４ｂ  係止片
４ｃ  扉
４ｆ  第二挿入部
５  粘着テープ
６  付属品箱
【図１】
2007008483.tif 000003
【図２】
2007008483.tif 000004
【図３】
2007008483.tif 000005
【図４】
2007008483.tif 000006
【図５】
2007008483.tif 000007